(57)【要約】【課題】上方付勢状態で押し下げ可能に突出したステム２の上端に嵌着するとともに、側方へ突出したノズル筒３内と上記ステム２内とを結ぶ流路ａを備えてなるポンプの噴出ヘッドであって、上記ノズル筒３の先端開口４の密なる閉塞が可能であり、ノズル筒３内の液の乾燥・固化を防止し、しかも取り扱いも便利な噴出ヘッドを提案する。【解決手段】上記ノズル筒３の先端開口４を、ノズル筒３の先端面に回動して開閉可能に閉塞する開閉蓋８を設けた。【選択図】図１
2005153984.tif 000002
【特許請求の範囲】
【請求項１】
上方付勢状態で押し下げ可能に突出したステム２の上端に嵌着するとともに、側方へ突出したノズル筒３内と上記ステム２内とを結ぶ流路ａを備えてなるポンプの噴出ヘッドであって、上記ノズル筒３の先端開口４を、ノズル筒３の先端面に回動して開閉可能に閉塞する開閉蓋８を備えてなることを特徴とするポンプの噴出ヘッド。
【請求項２】
上記開閉蓋８が、裏面より突設した回転軸９を上記ノズル筒３の先端外面に突設した軸受10に回動可能に軸着させて上記先端開口４を閉塞する板状の蓋本体11と、該蓋本体11表面に突設した摘み12と、該蓋本体11裏面に突設して上記先端開口４に離脱可能に嵌合させた膨出部13とで構成してなる請求項１記載のポンプの噴出ヘッド。
【請求項３】
上記開閉蓋８を開状態で係止する係止手段を設けてなる請求項１又は請求項２のいずれかに記載のポンプの噴出ヘッド。
【請求項４】
上記係止手段が、上記開閉蓋８をエラストマーで形成することによりその弾性密着力に起因する係止手段である請求項３に記載のポンプの噴出ヘッド。
【請求項５】
上記係止手段が、上記開閉蓋８の回動時に、上記膨出部13が上記軸受10上面に当接係止される如く構成した係止手段である請求項３記載のポンプの噴出ヘッド。
【請求項６】
上記係止手段が、上記軸受10の軸孔15を非円形に形成するとともに、上記回転軸９を上記軸孔15と同様外周形状をなして強制的な弾性変形回転が可能に構成し、閉蓋状態と少なくとも一箇所に於ける開蓋状態で上記開閉蓋８が安定状態を維持する如く上記軸孔15の形状を選択する如く構成した係止手段である請求項３記載のポンプの噴出ヘッド。
【発明の詳細な説明】
【技術分野】
【０００１】
本発明はポンプの噴出ヘッドに関する。
【背景技術】
【０００２】
液体噴出用のポンプとして、容器体の口頸部に装着して使用するとともに、ステムを介して上方付勢状態で突出した噴出ヘッドを上下動させることにより、容器体内の液体が噴出ヘッドの前面から突出されたノズル筒より噴出するように設けたものが知られている。また、これらのノズル筒内の液の乾燥防止を図った液体噴出器が提案されている。（例えば、特許文献１参照）。
【０００３】
上記特許文献１の液体噴出器は、容器体上部に嵌着した装着キャップ中央を貫通したステムを介して上方付勢状態で上下動可能に突出した噴出ヘッドを押し下げることにより、容器体内液体が噴出ヘッドの前部から突出したノズル筒より噴出する如く構成してなる液体噴出器であって、前部を開口した有頂筒状で且つステム両側面及び後面と、噴出ヘッド上面及び両側面及び後面とを被覆する基部下端縁を、装着キャップ上面中央部に突設した環状の係止突条外周に着脱自在に嵌合させるとともに、基部の前部開口縁より、ノズル筒上面及び両側面を被覆するノズル筒被覆部を延設してなるキャップ本体と、ノズル筒被覆部の頂板前縁に回動可能に上縁を連結するとともに、裏面より突設した嵌合筒をノズル筒先端に着脱可能に嵌合させた蓋板とからなるキャップを備えている。
【特許文献１】特開平11-043165 号公報
【発明の開示】
【発明が解決しようとする課題】
【０００４】
上記液体噴出器はノズル筒内の液の乾燥を防止し、また、ノズル筒内の液の固化を防止することができる優れたものである。本発明では、上記従来品とは別の方法でノズル筒内の液の乾燥・固化を防止し、しかも取り扱いも便利で、先端開口の密成る閉塞が可能な優れたポンプの噴出ヘッドを提案するものである。
【課題を解決するための手段】
【０００５】
本請求項１発明は上記課題を解決するため、上方付勢状態で押し下げ可能に突出したステム２の上端に嵌着するとともに、側方へ突出したノズル筒３内と上記ステム２内とを結ぶ流路ａを備えてなるポンプの噴出ヘッドであって、上記ノズル筒３の先端開口４を、ノズル筒３の先端面に回動して開閉可能に閉塞する開閉蓋８を備えてなることを特徴とするポンプの噴出ヘッドとして構成した。
【０００６】
本請求項２発明は、上記開閉蓋８が、裏面より突設した回転軸９を上記ノズル筒３の先端外面に突設した軸受10に回動可能に軸着させて上記先端開口４を閉塞する板状の蓋本体11と、該蓋本体11表面に突設した摘み12と、該蓋本体11裏面に突設して上記先端開口４に離脱可能に嵌合させた膨出部13とで構成してなる請求項１記載のポンプの噴出ヘッドとして構成した。
【０００７】
本請求項３発明は、上記開閉蓋８を開状態で係止する係止手段を設けてなる請求項１又は請求項２のいずれかに記載のポンプの噴出ヘッドとして構成した。
【０００８】
本請求項４発明は、上記係止手段が、上記開閉蓋８をエラストマーで形成することによりその弾性密着力に起因する係止手段手ある請求項３記載のポンプの噴出ヘッドとして構成した。
【０００９】
本請求項５発明は、上記開閉蓋８の回動時に、上記膨出部13が上記軸受10上面に当接係止される如く構成した係止手段である請求項３記載の噴出ヘッドとして構成した。
【００１０】
本請求項６発明は、上記係止手段が、上記軸受10の軸孔15を非円形に形成するとともに、上記回転軸９を上記軸孔15と同様外周形状をなして強制的な弾性変形回転が可能に構成し、閉蓋状態と少なくとも一箇所に於ける開蓋状態で上記開閉蓋８が安定状態を維持する如く上記軸孔15の形状を選択する如く構成した係止手段である請求項３記載のポンプの噴出ヘッドとして構成した。
【発明の効果】
【００１１】
本発明のポンプの噴出ヘッド１は、開閉蓋８を備えているため、不使用時にこの蓋を閉じておけばノズル内に液の詰まりが発生することを防止でき、その結果、液の飛び散りや噴出不良等の不都合を防止できるものである。また、開閉蓋８はノズル筒３の軸芯と直行方向に回動して開蓋するため、小さく形成しても邪魔にならず、取り扱いも便利である。
【００１２】
また、上記開閉蓋８が、端部裏面より突設した回転軸９を上記ノズル筒３の先端上面に突設した軸受10に回動可能に軸着させて上記先端開口４を閉塞する板状の蓋本体11と、該蓋本体11表面に突設した摘み12と、該蓋本体11裏面に突設して上記先端開口４に離脱可能に嵌合させた膨出部13とで構成してなるものにあっては、その組み付けが極めて容易であり、また、膨出部13の存在で閉塞時により完璧な気密性を確保できるものである。
【００１３】
また、上記開閉蓋８を開状態で係止する係止手段を設けてなるものにあっては、使用時に開蓋状態に回動させた際に不用意に回動下降する不都合がなく、良好な液の噴出を行えるものである。
【００１４】
更に、上記係止手段として、上記開閉蓋８をエラストマーで形成したものにあっては、弾力性に富んでいるためノズル筒３との密着性にすぐれ、その密閉性にも優れるとともに、開閉蓋８を回動して先端開口４を開いた際にノズル筒の枢着部等に於ける当接面の摩擦力を大きくして、使用中に開閉蓋８が戻る等の不都合を解消できるものである。
【００１５】
また、上記係止手段として、上記開閉蓋８の回動時に、上記膨出部13が上記軸受10上面に当接係止される如く構成したものにあっては、比較的強い係合強度での膨出部13と軸受10上面との当接係止が可能であるため、その効果は卓越したものとなる。
【００１６】
また、上記係止手段として、上記軸受10の軸孔15を非円形に形成するとともに、上記回転軸９を上記軸孔15と同様外周形状をなして強制的な弾性変形回転が可能に構成し、閉蓋状態と少なくとも一箇所に於ける開蓋状態で上記開閉蓋８が安定状態を維持する如く上記軸孔15の形状を選択する如く構成したものにあっては、同様に使用時に開蓋状態の開閉蓋８が回動下降する不都合がなく良好な液の噴出を行えるとともに、軸孔15の形状によっては段階的な開蓋状態を現出することができる。
【発明を実施するための最良の形態】
【００１７】
図面は本発明ポンプの噴出ヘッド１の一例を示すもので、噴出ヘッド１は、液体噴出ポンプＡの一部として構成される。上記ポンプＡは、容器体（図示せず）に装着して使用し、容器体内の液を汲み上げて噴出する如く構成した公知機構のもので、上方付勢状態で押し下げ可能に突出したステム２を介して上端部に上記噴出ヘッド１を嵌着している。
【００１８】
本発明噴出ヘッド１は、側方へノズル筒３を突設し、その先端開口４から液を噴出する如く構成している。また、ノズル筒３内とステム２内とを結ぶ流路ａを備えている。図示例では、ステム２の上端部外周に下端部内周を密嵌させた縦筒５を頂板６の裏面中央部より垂設するとともに、頂板６の周縁部より周壁７を垂下し、更に縦筒５の上部前面に基端を開口して周壁７前部を貫通し、その前方へ突出した上記ノズル筒３を設けている。そして、ステム２内から縦筒５内を介してノズル筒３内を通りその先端開口４に連通する上記流路ａを備えている。
【００１９】
本発明ではノズル筒３の先端開口４を閉塞する開閉蓋８を設けている。この開閉蓋８は、ノズル筒３の先端面を回動して上記ノズル筒３の先端開口４を開閉可能に閉塞する如く構成している。図１乃至図４に示す実施例では、端部裏面より突設した回転軸９をノズル筒３の先端上面に立設した軸受10に回動可能に軸着させて上記先端開口４を閉塞する板状の本体11と、該本体11表面に突設した摘み12と、該本体裏面に突設して上記先端開口４に離脱可能に嵌合させた膨出部13とで構成している。
【００２０】
開閉蓋８は合成樹脂等により形成することができるが、全体を軟材質で構成することが好ましい。軟材質としては、天然ゴム，合成ゴム，熱可塑性エラストマー等のエラストマーが好ましく採用できる。
【００２１】
本発明では、上記開閉蓋８を開状態で係止する係止手段を設けている。この係止手段は種々の形態を採用できるが、例えば、上記した如く開閉蓋８全体をエラストマー等の軟材質で形成することにより、その弾性密着力により開閉蓋８が開状態に回動した位置で安定して係止される。
【００２２】
また、係止手段として、上記開閉蓋８の回動時に、上記膨出部13が上記軸受10上面に当接係止される如く構成してもよい。その際、図１の実施例の如く上記軸受10の上面には、回動した開閉蓋８の膨出部13が係合する係合凹部14を凹設すると更に確実な係止が行える。この場合、開閉蓋８全体を上記軟材質で形成する構成と組み合わせることも当然可能である。
【００２３】
また、係止手段として、上記軸受10の軸孔15を非円形に形成するとともに、上記回転軸９を上記軸孔15と同様外周形状をなして強制的な弾性変形回転が可能に構成し、閉蓋状態と少なくとも一箇所に於ける開蓋状態で上記開閉蓋８が安定状態を維持する如く上記軸孔の形状を選択する如く構成しても良い。具体的には、例えば、図５に示す如く、軸受10の軸孔15を上下に頂点が位置する正方形状に形成するとともに、上記回転軸９も同様の正方形状に形成し、開閉蓋８が閉状態と９０°回動状態，１８０°回動状態で安定状態を維持できる如く構成する。この際、開閉蓋８をエラストマー等の軟材質で形成して安定状態から次の安定状態に回転する際に回転軸９が弾性変形する如く構成する。軸孔15の形状は上記実施例のものに限らず、図６に示す如き楕円状であっても、その他多角形状であっても、上記要件を満たせば種々選択できる。
【００２４】
更に、別な係止手段として、図示しないが、開閉蓋８と軸受10の対向面の一方或いは両方を凹凸粗面とすることにより摩擦力を付与して係止手段とすることも可能である。
【００２５】
上記の如く構成した噴出ヘッド１を装着したポンプＡを使用する場合を図１の実施例を例にして説明すると、まず、摘み12を掴んで蓋本体11を回動させてノズル筒３の先端開口４を開放する。この際、開閉蓋８はその膨出部13が軸受10上面の係合凹部14に係合して先端開口４の開放状態を確実に維持できる。次いで噴出ヘッド１を押し下げることにより公知のポンプ機構により容器体内の液がステム２を介して流路ａ内を通りノズル筒３の先端開口４より噴出する。使用後は、再び摘み12を掴んで蓋本体11を回動させると膨出部13が先端開口４に嵌着して気密に閉塞する。
【図面の簡単な説明】
【００２６】
【図１】本発明ポンプの噴出ヘッドを示す縦断面図である。（実施例１）
【図２】同実施例の開閉蓋を外した状態の分解斜視図である。（実施例１）
【図３】同実施例の作用を説明する説明図である。（実施例１）
【図４】同実施例の開閉蓋を開いた状態の要部縦断面図である。（実施例１）
【図５】本発明ポンプの開閉蓋部分の要部拡大斜視図である。（実施例２）
【図６】本発明ポンプのノズル筒部分の要部拡大正面図である。（実施例３）
【符号の説明】
【００２７】
２…ステム，３…ノズル筒，４…先端開口，８…開閉蓋，９…回転軸，10…軸受，
11…蓋本体，12…摘み，13…膨出部，14…係合凹部，15…軸孔，Ａ…ポンプ，
ａ…流路
【図１】
2005153984.tif 000003
【図２】
2005153984.tif 000004
【図３】
2005153984.tif 000005
【図４】
2005153984.tif 000006
【図５】
2005153984.tif 000007
【図６】
2005153984.tif 000008